(57)【要約】【課題】冷蔵庫庫内への熱負荷となる放熱パイプを冷蔵庫前面開口部に配設しないことにより省エネルギー効果を高めた冷蔵庫において、前面板の温度低下を防ぎ、前面板における結露を防止する。【解決手段】庫内への熱負荷侵入を抑制するため冷蔵庫本体１７の前面開口部には発汗防止用フロントコンデンサを配設せず、仕切体２６の樹脂で成型した前面部より突出する位置に、正面に孔４３を形成する前面体４２を構成し、前面体の表面温度の低下を防ぐことができるとともに、万が一結露した場合でも表面の水分を吸水し、前面体４２の発汗を防止できる。【選択図】図１
2005201525.tif 000002
【特許請求の範囲】
【請求項１】
少なくとも２つの貯蔵室と、前記貯蔵室の前面開口部にそれぞれ開閉自在な扉体と、前記貯蔵室を仕切る仕切体と、前記仕切体の前面部と前記扉体をシールするシール部と、前記仕切体の前面部に突起する前面体とからなり、前記前面体の一部に孔を設けることを特徴とする冷蔵庫。
【請求項２】
前面体に設けた孔は、扉体と対向する正面部のみに構成することを特徴とする請求項１記載の冷蔵庫。
【請求項３】
前面体は、上下の扉体に設けたシール部材に隣接するよう構成することを特徴とする請求項１または２に記載の冷蔵庫。
【請求項４】
シール部は、前面体に接触するひれ部を有することを特徴とする請求項１から３のいずれか一項に記載の冷蔵庫。
【請求項５】
仕切体は、前面部に凸部を有する樹脂で構成され、凸部の前方に孔を設けることを特徴とする請求項１から４のいずれか一項に記載の冷蔵庫。
【請求項６】
仕切体前面部の凸部は、上下扉体に設けたシール部材に隣接するよう構成することを特徴とする請求項５に記載の冷蔵庫。
【請求項７】
シール部は、仕切体前面部の凸部に接するひれ部を有することを特徴とする請求項１から６のいずれか一項に記載の冷蔵庫。
【請求項８】
仕切体前面部に、磁性体の薄膜を形成することを特徴とする請求項１から７のいずれか一項に記載の冷蔵庫。
【請求項９】
仕切体前面部裏側で、シール部に設けた磁性体と対抗する位置に、磁性体を設けたことを特徴とする請求項１から８のいずれか一項に記載の冷蔵庫。
【請求項１０】
仕切体前面部に設けた凸部の裏面に閉空間を形成する仕切部を設けたことを特徴とする請求項１から請求項９のいずれか一項に記載の冷蔵庫。
【請求項１１】
仕切体前面部に吸水性材料を用いることを特徴とする請求項１から１０のいずれか一項に記載の冷蔵庫。
【請求項１２】
仕切体前方部に対向する扉体の端面は、空気が対流できる構成にすることを特徴とする請求項１から１１のいずれか一項に記載の冷蔵庫。
【請求項１３】
仕切体内部に硬質ウレタンフォームを充填したことを特徴とする請求項１から請求項１２項のいずれか一項に記載の冷蔵庫。
【請求項１４】
仕切体内部に真空断熱材を埋設することを特徴とする請求項１から請求項１２のいずれか一項に記載の冷蔵庫。
【請求項１５】
冷蔵庫の冷媒を可燃性自然冷媒とすることを特徴とする請求項１から請求項１２のいずれか一項に記載の冷蔵庫。
【請求項１６】
真空断熱材を冷蔵庫の内箱と外箱との間に配設し、硬質ウレタンフォームで一体発泡することを特徴とする請求項１から請求項１２のいずれか一項に記載の冷蔵庫。
【発明の詳細な説明】
【技術分野】
【０００１】
本発明は、冷蔵庫の仕切体周辺の断熱構造に関するものである。
【背景技術】
【０００２】
近年、冷蔵庫には、冷蔵庫や冷凍室など、少なくとも２つの貯蔵室を有するものが供されており、その貯蔵室間を仕切る仕切体の前面部に前面板が備えられている。従来のこの種の冷蔵庫としては、冷凍サイクルの放熱パイプの熱伝導によって前面板表面の露付きを防止したものがある。（例えば、特許文献１参照）
以下、図面を参照しながら上記従来の冷蔵庫を説明する。
【０００３】
図９は、従来の冷蔵庫の立て断面図である。図１０は、従来の冷蔵庫の冷凍サイクル配管の透視図である。図１１は、従来の冷蔵庫の仕切体の断面図である。
【０００４】
図９において冷蔵庫本体１は、上部仕切体２、下部仕切体３によって中央に引き出し式冷凍室４、上部に冷蔵室５、下部に引き出し式野菜室６を区画形成している。また中央仕切体７により前記冷凍室４を上下２段の引き出し式冷凍室としている。冷蔵室５底部に設けられた低温室８は、約−３℃のパーシャルフリージング温度に保たれている。
【０００５】
図１０において圧縮機９、サイドコンデンサ１０、フロントコンデンサ１１、キャピラリチューブ１２で構成された冷凍サイクルある。また冷却器１３で冷却された冷気は送風器１４によって前記の各室に送風される。
【０００６】
次に、仕切体内部の構造について、中央仕切体７を例にとって説明すると、図１２において前面板１５は上下に折曲部を形成した断面がコの字型で形成されており、コの字型内部にはフロントコンデンサ１１の一部をなす放熱パイプ１６が配設されている。また前面板１５は鉄板のような熱電導性のよい材料から構成され、放熱パイプ１６と熱交換するように接触して配設されている。また、仕切体７の内部空間に挿入された発泡スチロール、軟質フォームなどの断熱材１６ａを備えている。
【０００７】
上記構成において以下その動作について説明する。圧縮機９で圧縮された冷媒はサイドコンデンサ１０を経てフロントコンデンサ１１へと入りキャピラリチューブ１２で減圧され冷却器１３で蒸発する。
【０００８】
冷却器１３で冷却された冷気は送風器１４で冷凍室４、冷蔵室５、野菜室６へと送風され各々の室を所定の温度に冷却する。
【０００９】
ここで庫内の冷却作用により仕切体２、３、７は冷却され結露を生じやすくなるが、冷凍サイクルの運転中は４０℃前後になる放熱パイプ１６からの熱伝達によって、前面板１５の温度は４０℃弱に保たれ、前面板１５の表面の露付きを防止する。
【特許文献１】特開平７−１８０９４４号公報
【発明の開示】
【発明が解決しようとする課題】
【００１０】
しかしながら、上記従来の構成では、前面板１５の上下両端部は強度確保の面から冷凍室４の内側に延出しており、この延出部は断熱材１６ａによって囲まれているが、断熱材１６ａの断熱性能は発泡スチロール、軟質フォームなどのために十分高いものでなく、かつ挿入作業性を考慮して密着した配置構造にできないため空隙が生じる。そのため放熱パイプ１６からの放熱の一部は前面板１５の両端部を通じて冷凍室４内に熱負荷として侵入しやすく冷蔵庫の冷凍システムの効率を低下させるという問題が生じる。また逆に、庫内の冷気によって、前面板１５の両端部を通じて、前面板１５は冷却され結露を生じることがある。
【００１１】
また、前面板の表面の結露を防止した構造体は、予期せぬ設置条件下での外気の環境により結露を生じてしまう場合がある。
【００１２】
また、金属材料は熱伝導性が高いため前面板表面温度は、庫内の温度影響を受けて低下し結露を生じることがある。
【００１３】
また、真空断熱材を配設した冷蔵庫は、負荷が小さいので運転率が低くなる。発汗防止は、パイプの温度に依存するので、運転率が低いと効果のある運転時間も少ないので発汗防止が困難になる。
【００１４】
本発明は従来の課題を解決するものであり、仕切板およびその周辺の断熱性を高めることによって、仕切体前面板の温度低下を防止し、放熱パイプを廃止して熱負荷侵入低減による省エネルギー化を図るものである。
【課題を解決するための手段】
【００１５】
上記課題を解決するため、本発明の冷蔵庫は、少なくとも２つの貯蔵室と、前記貯蔵室の前面開口部にそれぞれ開閉自在な扉体と、前記貯蔵室を仕切る仕切体と、前記仕切体の前面部と前記扉体をシールするシール部と、前記仕切体の前面部に突起する前面体とからなり、前記前面体の一部に孔を設けたものであり、前面板表面に付着した水分を吸水することができる。
【発明の効果】
【００１６】
本発明の冷蔵庫によれば、少なくとも２つの貯蔵室と、前記貯蔵室の前面開口部にそれぞれ開閉自在な扉体と、前記貯蔵室を仕切る仕切体と、前記仕切体の前面部と前記扉体をシールするシール部と、前記仕切体の前面部に突起する前面体とからなり、前記前面体の一部に孔を設けたものであり、前面板表面に付着した水分を吸水し、前面板の結露を防止することができる。
【発明を実施するための最良の形態】
【００１７】
請求項１に記載の冷蔵庫の発明は、少なくとも２つの貯蔵室と、前記貯蔵室の前面開口部にそれぞれ開閉自在な扉体と、前記貯蔵室を仕切る仕切体と、前記仕切体の前面部と前記扉体をシールするシール部と、前記仕切体の前面部に突起する前面体とからなり、前記前面体の一部に孔を設けたものであり、前面板表面に付着した水分を吸水することができる。
【００１８】
請求項２に記載の発明は、請求項１に記載の発明において、前面体に設けた孔は、扉体と対向する正面部のみに構成するものであり、外気に隣接する正面部だけに構成することにより温度層の低い側面部からの冷気の侵入を防ぐことにより効率よく水分を吸水する。
【００１９】
請求項３に記載の発明は、請求項１または２に記載の発明において、前面体は、上下の扉体に設けたシール部材に隣接するよう構成するものであり、扉体と対向する仕切体の面に加えて、シール部材の側面部でシールする。
【００２０】
請求項４に記載の発明は、請求項１から３のいずれか一項に記載の発明において、シール部は、前面体に接触するひれ部を有することにより、シール部のひれ部が、前面体に接触することにより、シール部の距離が長くなる。
【００２１】
請求項５に記載の発明は、請求項１から４のいずれか一項に記載の発明において、仕切体は、前面部に凸部を有する樹脂で構成され、凸部の前方に孔を設けることにより、凸部前面部に付着した水分を吸水するという作用を有する。また、熱伝導性の低い樹脂で一体化することにより、庫内の熱移動を抑える。
【００２２】
請求項６に記載の発明は、請求項５に記載の発明において、仕切体前面部の凸部は、上下扉体に設けたシール部材に隣接するよう構成することにより、扉体と対向する仕切り体の１面方向だけでシールすることに加えて、シール部の側面との２面でシールする。
【００２３】
請求項７に記載の発明は、シール部は、仕切体前面部の凸部に接するひれ部を有するものであり、シール部のひれ部が、前面体に接触することにより、シール部の距離が長くなる。
【００２４】
請求項８に記載の発明は、請求項１から７のいずれか一項に記載の発明において、仕切体前面部に、磁性体の薄膜を形成することにより、シール部に設けた磁性体と着磁する。
【００２５】
請求項９に記載の発明は、請求項１から８のいずれか一項に記載の発明において、仕切体前面部裏側で、シール部に設けた磁性体と対抗する位置に、磁性体を設けたことにより、シール部に設けた磁性体と、仕切体前面部裏側の磁性体が着磁する。
【００２６】
請求項１０に記載の発明は、請求項１から９のいずれか一項に記載の発明において、仕切体前面部に設けた凸部の裏面に閉空間を形成する仕切部を設けたことにより、凸部裏面部を空気断熱する。
【００２７】
請求項１１に記載の発明は、請求項１から１０のいずれか一項に記載の発明において、仕切体前面部に吸水性材料を用いることにより、仕切体前方部に生じた結露水を吸水する。
【００２８】
請求項１２に記載の発明は、請求項１から１１のいずれか一項に記載の発明において、仕切体前方部に対向する扉体の端面は、空気が対流できる構成にすることにより、上下扉体の隙間の温度低下を抑える。
【００２９】
請求項１３に記載の発明は、請求項１から請求項１２のいずれか１項に記載の発明において、仕切体内部に硬質ウレタンフォームを充填したものであり、放熱パイプを配設しなくても庫内冷気の前面板への伝達を断熱性能の高い硬質ウレタンフォームによって抑制することが可能となり、前面板の表面温度の低下、及び庫内への熱侵入を抑える。
【００３０】
請求項１４に記載の発明は、請求項１から請求項１２のいずれか１項に記載の発明において、仕切体内部に真空断熱材を埋設したものであり、硬質ウレタンフォームの数倍の断熱性能を有する真空断熱材の断熱効果により、庫内冷気の前面板への伝達を更に抑制する。
【００３１】
請求項１５に記載の発明は、請求項１から請求項１２のいずれか１項に記載の発明において、冷蔵庫の冷媒を可燃性自然冷媒としたものであり、本発明における冷蔵庫はフロントコンデンサを配設しないので、システムボリュームが小さくなり冷媒量を削減する。
【００３２】
請求項１６に記載の発明は、請求項１から請求項１２のいずれか一項に記載の発明において、真空断熱材を冷蔵庫の内箱と外箱との間に配設し、硬質ウレタンフォームで一体発泡したものであり、フロントコンデンサを配設せず庫内冷気の前面板への伝達を抑制する構造を有する冷蔵庫において、真空断熱材の断熱性能により冷蔵庫の運転率が低下しても、運転率の影響を受ける放熱パイプを発汗防止手段としていないので、安定して発汗の防止を図ることができる。さらに真空断熱材は硬質ウレタンフォームの数倍の断熱性能を有するので冷蔵庫庫内への熱侵入を有効に防ぐ。
【００３３】
以下、本発明の実施の形態について、図面を参照しながら説明する。なお、従来と同一構成については、同一符号を付して詳細な説明を省略する。また、この実施の形態によってこの発明が限定されるものではない。
【００３４】
（実施の形態１）
図１は、本発明の実施の形態１による冷蔵庫の正面図である。図２は、同実施の形態による冷蔵庫の縦断面図である。図３は、同実施の形態による冷蔵庫の冷凍サイクル配管の透視図である。図４は、同実施の形態による冷蔵庫の低温室と冷凍室における仕切体の断面図である。
【００３５】
図１から図４において、冷蔵庫本体１７は、上から冷蔵室１８、野菜室１９、製氷室２０、低温室２１、冷凍室２２を区画形成しており、製氷室２０と低温室２１は横に並んでいる。低温室２１は、温度コントロールができる切替室であってもかまわない。仕切り体２３は、冷蔵室１８と野菜室１９を上下に仕切り、仕切体２４は、野菜室１９と製氷室２０、低温室２１を上下に仕切り、仕切体２５は、製氷室２０と低温室２１を左右に仕切り、仕切体２６は、製氷室２０、低温室２１と冷凍室２２を上下に仕切っている。
【００３６】
冷蔵庫の扉は、冷蔵室１８の前面開口部にヒンジによって取付けた回転式扉２７、野菜室１９の前面開口部に取付けた引き出し式扉２８、製氷室２０に取り付けられた引出し式扉２９、低温室２１に取り付けられた扉３０、冷凍室２２に取り付けられた引出し式扉３１が配設されている。
【００３７】
冷蔵庫を冷却する冷凍サイクルにおいて、３２は冷却器であり、冷却器３２の上方で冷凍室２２の後方には強制通風用の送風機３３が設けられ、野菜室１９と低温室２１の後方には風路制御手段３４を設け、風路制御手段３４の内部に冷蔵室１８、野菜室１９および低温室２１への冷気供給量を調整するダンパー（図示せず）を備えている。冷却器３２で冷却された冷気は送風機３３、風路制御手段３４によって前記各室に送風される。
【００３８】
図３において、冷凍サイクルにおいて圧縮機は３５、サイドコンデンサは３６、キャピラリチューブは３７である。なお、本実施の形態の冷蔵庫は、庫内への熱負荷侵入を抑制するため冷蔵庫本体１７の前面開口部には発汗防止用フロントコンデンサは配設していない。
【００３９】
図４において、磁性体３８を有するシール部３９は、切替室扉３０に配設された切替室２１と切替室扉３０をシールし、磁性体４０を有するシール部４１は、冷凍室扉３１に配設された冷凍室２２と冷凍室扉３１をシールする。
【００４０】
前面体４２は、仕切体２６の前面部２６ａに取り付けられ、シール部３９とシール部４１に側面部４２ａ、４２ｂで隣接している。そして、前面体４２は、扉体と対向する正面だけに孔４３を有する。
【００４１】
また、シール部３９、４１は、前面体４２に接触するように、ヒレ部４４、４５を有している。
【００４２】
化粧材４６は、磁気を帯びた薄いシートであり仕切体２６の前面部２６ａに配設されている。化粧材４６は、吸水性を帯びていてもよい。また、化粧材４６は、デザイン性の高い素材であってもよい。
【００４３】
以上のように構成された冷蔵庫について、以下その動作を説明する。
【００４４】
冷凍サイクルを構成する圧縮機３５、サイドコンデンサ３６、キャピラリチューブ３７、冷却器３２の運転、および送風機３３、風路制御手段３４により、冷蔵室１８、野菜室１９、製氷室２０、低温室２１および冷凍室２２は所定の温度に冷却される。ここで、本実施の形態の冷蔵庫１７は、庫内への熱負荷侵入を抑制するため冷蔵庫本体１７の前面開口部には発汗防止用フロントコンデンサを配設せず、省エネルギーを高めるとともに、仕切体２６の前面部２６ａを樹脂で構成することにより、庫内温度の熱影響をおさえ、表面温度の低下を防ぐことのよる前面部２６ａの発汗を防止できる。
【００４５】
また、前面板４２は、仕切部２６の前面部２６ａより庫外側に突き出しているため、表面温度は外気温度の影響をうけやすく、更に表面温度を上昇させ、発汗を抑えている。
【００４６】
また、前面板４２に孔４３を形成する吸水性の高い樹脂を利用することにより、万が一設置条件により結露した場合でも、水分を吸水してくれる。尚、構造体により結露状態の累積時間は極めて短く、長期信頼性を確保できるだけの吸水材を使用している。
【００４７】
また、シール部３９、４１は、仕切体２６の前面部２６ａに加えて、前面体４２の側面部４２ａ、４２ｂの２面方向でシールしており、更に、ヒレ部４４，４５で前面体２６と完全に接触しているため、樹脂による前面板が冷熱変化や挿入時の荷重による変形や対向部品とのばらつきにより隙間を生じることのないよう確実にシールすることができるので、更に庫内への熱侵入を抑えることができ、前面板の発汗を防止できる。
【００４８】
また、化粧材４６は、磁気をおびているため、シール部３９，４１の着磁体３８，４０と着磁し、完全にシールできるようにしている。
【００４９】
また、化粧材２６が、デザイン性の高いシートであれば、冷蔵庫の外観意匠もよくなる。
【００５０】
なお、本実施の形態では、冷蔵庫本体１７の低温室と冷凍室を仕切る仕切体２６周辺部で説明したが、冷蔵室と野菜室、野菜室と製氷室、野菜室と切替室、製氷室と切替室、製氷室と冷凍室に適用してもよい。
【００５１】
（実施の形態２）
図５は、本実施の形態２による冷蔵庫の低温室と冷凍室との仕切体の断面図である。なお、実施の形態１と同一構成については、同一符号を付して詳細な説明を省略する。
【００５２】
低温室２１と冷凍室２２を仕切る仕切体４７は、樹脂でできており、前方に孔４８を有する、庫外側に突出する凸部４９を形成している。凸部４９の裏側には、空気層５０を形成している。凸部４９は、シール部３９と４１に隣接しており、ひれ部４４と４５で完全に接触している。
【００５３】
仕切体４７の前面部裏面には、シール部３９，４１の磁性体３８，４０と対向する位置に磁性体５１，５２を有しており、磁性体３８，４０に反発しない方向に設置されている。
【００５４】
磁性体５１，５２は、仕切体の前面部裏面に形成された溝４７ａ，４７ｂに配設され位置を固定している。
【００５５】
低温室扉３０と冷凍室扉３１の端面は、前面体と対向する部分に空気が対流できるようなカバー５３，５４を有し、カバー５３，５４には空気が対流できる孔５３ａ、５４ａを形成している。
【００５６】
以上のような構成において、仕切体４７の前方部に樹脂で凸部を形成することにより、庫内からの熱影響を抑えることができ、更に、庫外側に突出することにより外気の影響をうけやすくし、更に表面温度を上昇させ、発汗を抑えている。
【００５７】
また、凸部４９の裏側に、空気層５０を形成することにより、空気断熱により複雑な形状に対応し、庫内の熱影響を抑制している。
【００５８】
また、凸部４９の前面に孔を形成する吸水性の高い樹脂を利用することにより、表面に結露した水分を吸水することができ、万が一予測できない設置条件に設置し、結露した場合でも凸部４９の表面部の発汗を防止することができるため、信頼性が高い。尚、構造体により結露状態の累積時間は極めて短く、長期信頼性を確保できるだけの吸水材を使用している。
【００５９】
また、シール部３９、４１は、仕切体４７の前面部４７ａに加えて、凸部４９の側面部４９ａ，４９ｂの２面方向でシールしており、更に、ヒレ部４４，４５で凸部４９と完全に接触しているため、樹脂による前面板が冷熱変化や挿入時の荷重による変形や対向部品とのばらつきにより隙間を生じることのないよう確実にシールすることができるので、更に庫内への熱侵入を抑えることができ、前面板の発汗を防止できる。
【００６０】
また、扉３０，３１に設けたカバー５３，５４により、凸部４９の前面部が外気の空気層になるため、凸部４９の表面温度は更に、上昇し発汗を抑えることができる。
【００６１】
また、仕切体４７の前方部裏面に設けられた、磁性体５１，５２により、シール部３９，４１の磁性体３８，４０と完全に着磁し、確実にシールしている。
【００６２】
また、仕切体４７に設けられた磁性体の位置を決める溝４７ａ，４７ｂにより、作業工程中に仕切体内部の磁性体５１，５２の位置がずれることがないため、扉体の磁性体３８，４０に反発することもない。
【００６３】
なお、本実施の形態では、冷蔵庫本体１７の低温室と冷凍室を仕切る仕切体４７周辺部で説明したが、冷蔵室と野菜室、野菜室と製氷室、野菜室と切替室、製氷室と切替室、製氷室と冷凍室に適用してもよい。
【００６４】
（実施の形態３）
図６は、本実施の形態３による冷蔵庫の低温室と冷凍室との仕切体の断面図である。なお、実施の形態１と同一構成については、同一符号を付して詳細な説明を省略する。
【００６５】
低温室２１と冷凍室２１を仕切る仕切部は、上下で構成された仕切体５５と仕切体５６で構成されている。仕切体５５，５６は、扉体３０，３１側に勘合すると凸部を形成するような形状である。仕切体５５，５６は勘合部に隙間５７を形成できる構造になっている。隙間５７は、部分的につながっていてもかまわない。
【００６６】
仕切体５５と５６の前方部裏面には、シール部３９，４１の磁性体３８，４０と対向する位置に磁性体５８，５９を有しており、磁性体３８，４０に反発しない方向に設置されている。
【００６７】
以上のような構成において、仕切体５５，５６の２部品で構成することにより、吸水用の孔を開ける必要なく、隙間５７で代用することができるため、仕切体５５，５６の孔を形成する加工の手間を省くことができる。
【００６８】
また、仕切体５５，５６の前方部裏面に反発しない方向に設置された磁性体５８，５９により確実にシールすることができシール性が向上し、更に熱の対流をおさえることができ、前面板の発汗を防止できる。
【００６９】
（実施の形態４）
図７は、本実地の形態４による冷蔵庫の低温室と冷凍室との仕切体の断面図である。尚、実施の形態１、２と同一構成については、同一符号を付して詳細な説明を省略する。
【００７０】
低温室２１と冷凍室２２を仕切る仕切体６０は、樹脂でできており、前方に庫外側に突出する凸部６０を形成している。凸部６１の裏側には、断熱材６２が充填されている。凸部６１の表面には、吸水性の高い吸水性材料６３を備えている。吸水性材料６３は、表面がデザイン性の高いものがよい。
【００７１】
凸部６１は、シール部３９と４１に隣接しており、ひれ部４４と４５で完全に接触している。
【００７２】
仕切体６０の前面部裏面には、シール部３９，４１の磁性体３８，４０と対向する位置に磁性体６３，６４を有しており、磁性体３８，４０に反発しない方向に設置されている。
【００７３】
磁性体６４，６５は、仕切体の前面部裏面に形成された溝６０ａ，６０ｂに配設され位置を固定している。
【００７４】
真空断熱材６６は、仕切体６０の内部に埋設しており、ガス透過を阻止する多層ラミネートフィルムの周囲を溶着した袋内にシリカ、パーライトなどの微粉末、あるいはグラスファイバ、連続気泡の発泡ウレタンなどからなるコア材を挿入した後、袋内のガスを排気し真空状態として密封したものである。
【００７５】
以上のような構成において、仕切体６０の前方部に樹脂で凸部６１を形成することにより、庫内からの熱影響を抑えることができ、更に、庫外側に突出することにより外気の影響をうけやすくし、更に表面温度を上昇させ、発汗を抑えている。
【００７６】
また、凸部６１の裏側に、断熱材６０を充填することにより断熱効果を高め、庫内の熱影響を抑制している。
【００７７】
また、凸部６１の前面に吸水性の高い吸水性材料６３を備えることにより、表面に結露した水分を吸水することができ、万が一予測できない設置条件に設置し、結露した場合でも凸部６１の表面部の発汗を防止することができるため、信頼性が高い。尚、構造体により結露状態の累積時間は極めて短く、長期信頼性を確保できるだけの吸水材を使用している。
【００７８】
また、シール部３９、４１は、仕切体６０の前面部に加えて、凸部６１の側面部６１ａ、６１ｂの２面方向でシールしており、更に、ヒレ部４４，４５で凸部６１と完全に接触しているため、樹脂による前面板が冷熱変化や挿入時の荷重による変形や対向部品とのばらつきにより隙間を生じることのないよう確実にシールすることができるので、更に庫内への熱侵入を抑えることができ、前面板の発汗を防止できる。
【００７９】
また、仕切体６０の前方部裏面に設けられた、磁性体６４，６５により、シール部３８，４１の磁性体３８，４０と確実にシールすることができシール性が向上し、更に熱の対流をおさえることができ、前面板の発汗を防止できる。
【００８０】
また、仕切体６０に設けられた磁性体の位置を決める溝６０ａ，６０ｂにより、作業工程中に仕切体内部の磁性体６４，６５の位置がずれることがないため、扉体の磁性体３８，４０に反発することもない。
【００８１】
また、仕切体６０の内部に硬質ウレタンフォーム６２に加え、真空断熱材６６を埋設しているので、硬質ウレタンフォームの数倍の断熱性能を有する真空断熱材の優れた断熱効果により、庫内冷気の凸部６１への熱伝達を更に抑制することができ、凸部６１の発汗を確実に防止できる。
【００８２】
なお、本実施の形態では、冷蔵庫本体１７の低温室と冷凍室を仕切る仕切体６０周辺部で説明したが、冷蔵室と野菜室、野菜室と製氷室、野菜室と切替室、製氷室と切替室、製氷室と冷凍室に適用してもよい。
【００８３】
（実施の形態５）
図８は、本実施の形態５による冷蔵庫の縦断面図である。なお、実施の形態１から３との同一構成については、同一符号を付して詳細な説明を省略する。
【００８４】
図８において、６６は真空断熱材であり、冷蔵庫の外箱６８に貼付される。本実施の冷蔵庫は外箱６７と内箱６８とを組み合わせ、その間に硬質ウレタンフォーム６２を発泡充填させ断熱性能に優れる筐体を形成している。なお本実施例では、冷蔵室１８の回転式扉２７と野菜室１９の引き出し式扉２８、製氷室２０の引き出し式扉２９、低温室２１の引き出し式扉３０、冷凍室２２の引き出し式扉３１にも真空断熱材６６を配設させているので、より断熱性能が高くなっている。
【００８５】
また本実施の冷蔵庫において冷却器３２や圧縮機３５等で形成される冷凍サイクル中を流れる冷媒は可燃性自然冷媒のイソブタンを用いている。
【００８６】
以上の構成において、本実施の冷蔵庫の冷媒は可燃性自然冷媒を使用しているが、冷蔵庫はフロントコンデンサを配設しないので、システムボリュームが小さくなり冷媒量を削減されており、冷媒漏洩時における安全性が高い。さらに地球温暖化に対する影響が小さい自然冷媒を使用することは、地球環境にも配慮することにもなる。
【００８７】
また、従来の冷蔵庫は発汗防止用フロントコンデンサにより発汗を防いでいたが、冷蔵庫の運転率が低下すると発熱時間が短縮され発汗を発生させる恐れがあった。本実施の冷蔵庫は真空断熱材６６を用いて断熱性能に優れるので冷蔵庫の運転率が低下するが、庫内冷気の前面板への伝達を抑制する構造を有するので安定して発汗を防止はかることができる。さらに真空断熱材は硬質ウレタンフォームの数倍の断熱性能を有するので冷蔵庫庫内への熱侵入を有効に防ぐことができ、省エネルギー効果も高い。
【００８８】
なお、本実施の形態では、冷蔵庫の冷凍サイクルを流れる冷媒は可燃性自然冷媒であるイソブタンとしたが、ＨＦＣ１３４ａ等のフロン冷媒であっても構わない。
【産業上の利用可能性】
【００８９】
以上のように、本発明にかかる冷蔵庫は、庫内を仕切る仕切体の前面板の結露を防止することができるので、冷蔵庫に限らず貯蔵室を有する冷却機器に有効に適用できる。
【図面の簡単な説明】
【００９０】
【図１】本発明による冷蔵庫の実施の形態１の正面図
【図２】同実施の形態の冷蔵庫の縦断面図
【図３】同実施の形態の冷蔵庫の冷凍サイクル配管の透視図
【図４】同実施の形態の冷蔵庫の仕切体の断面図
【図５】本発明による冷蔵庫の実施の形態２の仕切体の断面図
【図６】本発明による冷蔵庫の実施の形態３の仕切体の断面図
【図７】本発明による冷蔵庫の実施の形態４の仕切体の断面図
【図８】本発明による冷蔵庫の実施の形態５の縦断面図
【図９】従来の冷蔵庫の縦断面図
【図１０】従来の冷蔵庫の冷凍サイクル配管の透視図
【図１１】従来の冷蔵庫の仕切体の断面図
【符号の説明】
【００９１】
１７    冷蔵庫本体
２６    仕切体
３０    切替室扉
３１    冷凍室扉
３８，４０    磁性体
３９，４１    シール部
４２    前面体
４３    孔
４４，４５    ひれ部
４６    化粧材
４７    仕切体
４７ａ，４７ｂ    孔
４８    孔
４９    凸部
５０    空気層
５１，５２    磁性体
５５，５６    仕切体
５７    隙間
５８，５９    磁性体
６０    仕切体
６１    凸部
６２    硬質ウレタンフォーム
６４，６５    磁性体
６６    真空断熱材
６７    外箱
６８    内箱
【図１】
2005201525.tif 000003
【図２】
2005201525.tif 000004
【図３】
2005201525.tif 000005
【図４】
2005201525.tif 000006
【図５】
2005201525.tif 000007
【図６】
2005201525.tif 000008
【図７】
2005201525.tif 000009
【図８】
2005201525.tif 000010
【図９】
2005201525.tif 000011
【図１０】
2005201525.tif 000012
【図１１】
2005201525.tif 000013